(57)【要約】【課題】背もたれ部、座面部及び足載せ台部にそれぞれクッションを備えたリクライニングチェアにおいて、使用中にこれらのクッションが位置ずれすることがなく、しかもリクライニングチェア本体へのこれらのクッションの取り付け取り外しが容易な構造のリクライニングチェアを提供する。【解決手段】背もたれ部と座面部と足載せ台部とを有するリクライニングチェア１において、背もたれ部クッション２、座面クッション３及び足載せ台部クッション４を配置すると共に、これらのクッションをフレーム９等に着脱自在に結着した。【選択図】図１
0003129335.tif 000002
【実用新案登録請求の範囲】
【請求項１】
背もたれ部と座面部を有するリクライニングチェアにおいて、背もたれ部及び又は座面部に弾力性を有するクッションを配置すると共に、該クッションを該リクライニングチェアのフレームに着脱自在に結着したことを特徴とするリクライニングチェア。
【請求項２】
前記リクライニングチェアに足載せ台部を具備し、該足載せ台部に弾力性を有するクッションを配置すると共に、該クッションを該リクライニングチェアのフレームに着脱自在に結着した請求項１に記載のリクライニングチェア。
【請求項３】
前記フレームは、座面部のフレームの前方に足載せ台部のフレーム部を突設して有すると共に、該座面部のフレームを当該リクライニングチェアの本体部に着脱可能に係着した請求項２に記載のリクライニングチェア。
【請求項４】
前記クッションは、発泡ウレタン等のスポンジ状体又は繊維を積層したマット状体からなる弾性体を皮革又は人造皮革又は布等の上張材で被覆して形成されている請求項１乃至請求項３のいずれか１に記載のリクライニングチェア。
【請求項５】
前記背もたれ部の上方にヘッドレスト部を設けると共に該ヘッドレスト部の左右にステレオ式スピーカーを内蔵させた請求項１乃至請求項３のいずれか１に記載のリクライニングチェア。
【請求項６】
前記足載せ台部のフレームに薄形テレビの取付けアームを上方に向けて突設させた請求項１乃至請求項３のいずれか１に記載のリクライニングチェア。
【考案の詳細な説明】
【技術分野】
【０００１】
本考案は背もたれ部及び座面部等にクッションを備えたリクライニングチェアに関する。
【背景技術】
【０００２】
リクライニングチェアは背もたれ部のリクライニング角度を可変として、人が楽な姿勢で座ったり、又は仰臥したりできるようになっている。
【０００３】
従来のリクライニングチェアの背もたれ部や座面部等には、発泡ウレタン等の弾力性を有する弾性体を上張材で被覆したクッションが設置されている。
【０００４】
しかし、このクッションは、長期間使用しているうちに汚れたり、又はクッションの弾力性が失われたりするので、クッションをリクライニングチェアから取り外して洗ったり、又は交換をしたりする必要があった。
【０００５】
そして、このようなクッションの修復や交換は、一般に家具メーカー又は専門の修理業者に依頼して行なわれていた。
【０００６】
尚、座や背もたれに使用される上張材の使用感と取替えの便を好適に両立させた椅子の例がある（例えば特許文献１参照。）。
【特許文献１】特開平９−１４０５１３号公報
【考案の開示】
【考案が解決しようとする課題】
【０００７】
従来のリクライニングチェアでは、背もたれ部及び座面部等に配置したクッションが、単に載置されているだけのものがあり、これは利用者が該リクライニングチェア上で身動きをすると、前記クッションが位置ずれを起こして座り心地が悪くなるという問題があった。
【０００８】
又、背もたれ部及び座面部等のクッションを本体フレームに固定した従来のリクライニングチェアでは、これらのクッションを前記本体フレームから取り外したり又は取り付けたりする作業は素人には困難であるという問題があった。
【０００９】
本考案は前記の問題点を解消し、クッションの位置ずれがなく、しかもクッションの取り付け取り外しの容易なリクライニングチェアを提供することを目的とする。
【課題を解決するための手段】
【００１０】
本考案は前記の問題点を解消すべく背もたれ部と座面部を有するリクライニングチェアにおいて、背もたれ部及び又は座面部に弾力性を有するクッションを配置すると共に、該クッションを該リクライニングチェアのフレームに着脱自在に結着した。
【考案の効果】
【００１１】
本考案によれば、背もたれ部クッション及び又は座面部クッションをそれぞれリクライニングチェアのフレームに着脱自在に結着したので、クッションが該フレームと一体となってクッションの位置ずれが防止されると共にクッションの取り付け、取り外し、及び予備のクッションとの交換作業を容易に行うことができる効果を有する。
【考案を実施するための最良の形態】
【００１２】
本考案を実施するための最良の形態の実施例を以下に示す。
【実施例１】
【００１３】
本考案のリクライニングチェアの実施例１を図面により説明する。
【００１４】
図１は本実施例のリクライニングチェア１の斜視図であり、２は背もたれ部クッション、３は座面部クッション、４は足載せ台部クッションである。これらクッションは、弾力性を有する発泡ウレタン等の弾性体を皮革、人造皮革又は布等の上張材で被覆して形成されている。
【００１５】
５はヘッドレスト部で、該ヘッドレスト部５内の左右にステレオ式スピーカを内蔵している。６及び７はそれぞれ肘掛け台であり、８はリクライニング角度調節用ハンドル、９は座面部フレームである。又、１０は薄形テレビ、１１は該薄形テレビ１０の取付けアームである。
【００１６】
前記各クッションは、面ファスナー（「商品名マジックテープ（登録商標）」）を用いてフレームに結着してある。
【００１７】
面ファスナーは相対する一対の布製テープからなり、一方のテープの表面には小さな多数のフックを立設したフック面を形成しており、他方のテープの表面には小さな多数のループを立設したループ面を形成していて、これらフックとループとが係合して両テープが結着するようになっている。
【００１８】
これら一対のテープの内の一方のテープを前記フレームの表面に固定し、他方のテープを前記クッションの裏面に固定して、クッションをフレームに載置したときに互いに相対する位置にあるテープが結着するようにした。
【００１９】
図２に座面部クッション３及び足載せ台部クッション４を取り外した状態のリクライニングチェア１の斜視図を示した。
【００２０】
座面部フレーム９は前方に足載せ台部フレームを突出させて一体に形成されており、前記面ファスナーを形成するテープの内の一方のテープ９ａを該座面部フレームの上面の複数ヵ所に固定して有している。
【００２１】
前記座面部フレーム９は、当該リクライニングチェア１の本体部分１２に着脱可能に形成されている。図３に座面部フレーム９を取り外した状態のリクライニングチェア１の斜視図を示した。
【００２２】
次に本考案のリクライニングチェア１の使用方法等について説明する。
【００２３】
リクライニングチェア１を利用する人は、リクライニング角度調節用ハンドル８を操作して背もたれ部の角度を調節して、リラックス姿勢とすることができる。
【００２４】
又、リラックス姿勢のままテレビを見たり、又はステレオ音楽を楽しんだりすることができる。
【００２５】
又、背もたれ部クッション２、座面部クッション３及び足載せ台部クッション４は素人でも容易にリクライニングチェア１から取り外したり取り付けたりすることができるので、これらクッションを洗濯したり、又は予備のクッションと交換したりする事が容易である。
【００２６】
更に又、座面部フレーム９をリクライニングチェア本体１２から取り外すことが可能なので、リクライニングチェア１を運搬したり又は片付けたりする場合に、座面部フレーム９を分離して作業したり又は格納したりすることができて便利である。
【００２７】
尚、前記実施例１では、背もたれ部と座面部と足載せ部とを有するリクライニングチェア１において、背もたれ部クッション２と座面部クッション３と足載せ台部クッション４を前記リクライニングチェア１のフレームに着脱自在に結着した例を示したが、背もたれ部と座面部とを有するリクライニングチェアにおいて、背もたれ部クッションと座面部クッションを前記リクライニングチェアのフレームに着脱自在に結着してもよい。
【００２８】
又、背もたれ部クッション又は座面部クッションを前記リクライニングチェアのフレームに着脱自在に結着してもよい。
【産業上の利用可能性】
【００２９】
本考案のリクライニングチェアは、個人向け又は業務用のリクライニングチェアとして利用される。
【図面の簡単な説明】
【００３０】
【図１】本考案の実施例１のリクライニングチェアの斜視図である。
【図２】前記リクライニングチェアの一部クッションを取り外した状態の斜視図である。
【図３】前記図２の状態から更に座面部フレームを取り外した状態の斜視図である。
【符号の説明】
【００３１】
１          リクライニングチェア
２          背もたれ部クッション
３          座面部クッション
４          足載せ台部クッション
５          ヘッドレスト部
６、７      肘掛け台
８          角度調節用ハンドル
９          フレーム（座面部フレーム）
１１        薄形テレビの取付けアーム
【図１】
0003129335.tif 000003
【図２】
0003129335.tif 000004
【図３】
0003129335.tif 000005